(57)【要約】【課題】  管理データベースなどを用いることなく、アクティブタグ１の電池の使用期限を適切に管理することのできるアクティブタグ１を提供する。【解決手段】  リーダライタ装置２から送信されるコマンドを判別して各種制御を行う制御部３と、所定の情報を書き込みまたは読み出しするためのメモリ４と、制御部３により制御されアンテナ５を介してリーダライタ装置２との通信を行うための通信部６と、制御部３、メモリ４、通信部６に電力を供給するための電池７と、を備え、メモリ４には、電池７の使用期限情報が記録されるように構成されている。【選択図】      図１
2012018552.tif 000002
【特許請求の範囲】
【請求項１】
リーダライタ装置から送信されるコマンドを判別して各種制御を行う制御部と、
所定の情報を書き込みまたは読み出しするためのメモリと、
前記制御部により制御されアンテナを介してリーダライタ装置との通信を行うための通信部と、
前記制御部、前記メモリ、前記通信部に電力を供給するための電池と、を備え、
前記メモリには、前記電池の使用期限情報が記録されるように構成されていることを特徴とするアクティブタグ。
【請求項２】
前記電池の使用期限情報は、前記電池の使用期限年月情報および前記電池の残量情報であることを特徴とする請求項１に記載のアクティブタグ。
【請求項３】
前記電池は、充電により繰り返して使用可能な充電池であり、前記使用期限情報は、前記充電池の最大充電回数および前記充電池の充電回数であることを特徴とする請求項１に記載のアクティブタグ。
【請求項４】
請求項１から請求項３のいずれか一項に記載のアクティブタグと、リーダライタ装置とを備え、
前記リーダライタ装置は、前記アクティブタグから送信される送信データに基づいて、前記電池の使用期限情報を参照し、前記使用期限が過ぎていると判断した場合に警告を行う警告部を備えていることを特徴とするアクティブタグシステム。
【発明の詳細な説明】
【技術分野】
【０００１】
本発明はアクティブタグおよびアクティブタグシステムに係り、特に、管理データベースなどを用いることなく、アクティブタグの電池の使用期限を適切に管理することを可能としたアクティブタグおよびアクティブタグシステムに関するものである。
【背景技術】
【０００２】
近年、半導体技術および電子通信技術の発達により、非接触で情報を送受信可能なＲＦＩＤタグが多く用いられている。このＲＦＩＤタグは、リーダライタ装置と通信を行うことにより、ＲＦＩＤタグのＩＤ情報などの各種情報を送受信するように構成されている。そして、このようなＲＦＩＤタグとしては、内部に電源を有さずリーダライタ装置からの送電電力を電源として作動するパッシブタグと、内部に電源を備えたアクティブタグとが存在する。このアクティブタグは、パッシブタグよりも通信距離が長く、適用範囲が広いことから、注目されている。
【０００３】
このようなアクティブＩＤタグ装置は、電源として電池を搭載しているが、電池には寿命があり、電池の寿命が切れると交換などを行う必要がある。
【０００４】
また、従来から、例えば、アンテナおよびメモリを含む電子回路を搭載するとともに、電源用の電気二重層コンデンサを搭載し、外部の充電器に内蔵する送電用誘導コイルからの電力を、電磁誘導作用により受電用誘導コイルにより受電して電源用コンデンサを充電するようにした技術が開示されている（例えば、特許文献１参照）。
【先行技術文献】
【特許文献】
【０００５】
【特許文献１】特開２００６−０３１１１６９号公報
【発明の概要】
【発明が解決しようとする課題】
【０００６】
しかしながら、前記従来の技術においては、電池の寿命が来てから電池の交換を行うものであった。そのため、電池の使用期限を管理しようとする場合、アクティブタグの運用システムにおいて、管理データベースに個々のアクティブタグの電池の使用期限を登録する必要があった。
【０００７】
しかしながら、このような電池の使用期限をアクティブタグと別個に管理データベースで管理する必要があり、個々の登録作業が必要であり、作業が極めて煩雑となってしまうという問題を有している。
【０００８】
また、前記従来の技術のように、電気二重層コンデンサなどの充電池を設けた場合には、充電回数に限界があり、永久に充電できるものではない。そのため、充電池を用いた場合にも、使用期限の管理が必要であるが、充電池の使用期限も、電池の場合と同様に、管理データベースで管理する必要があるという問題を有している。
【０００９】
本発明は前記した点に鑑みてなされたものであり、管理データベースなどを用いることなく、アクティブタグの電池の使用期限を適切に管理することのできるアクティブタグおよびアクティブタグシステムを提供することを目的とするものである。
【課題を解決するための手段】
【００１０】
本発明は前記目的を達成するために、請求項１の発明に係るアクティブタグは、リーダライタ装置から送信されるコマンドを判別して各種制御を行う制御部と、
所定の情報を書き込みまたは読み出しするためのメモリと、
前記制御部により制御されアンテナを介してリーダライタ装置との通信を行うための通信部と、
前記制御部、前記メモリ、前記通信部に電力を供給するための電池と、を備え、
前記メモリには、前記電池の使用期限情報が記録されるように構成されていることを特徴とする。
【００１１】
請求項２に係る発明は、請求項１において、前記電池の使用期限情報は、前記電池の使用期限年月情報および前記電池の残量情報であることを特徴とする。
【００１２】
請求項３に係る発明は、請求項１において、前記電池は、充電により繰り返して使用可能な充電池であり、前記使用期限情報は、前記充電池の最大充電回数および前記充電池の充電回数であることを特徴とする。
【００１３】
請求項４の発明に係るアクティブタグシステムは、請求項１から請求項３のいずれか一項に記載のアクティブタグと、リーダライタ装置とを備え、
前記リーダライタ装置は、前記アクティブタグから送信される送信データに基づいて、前記電池の使用期限情報を参照し、前記使用期限が過ぎていると判断した場合に警告を行う警告部を備えていることを特徴とする。
【発明の効果】
【００１４】
請求項１に係る発明によれば、アクティブタグのメモリに、電池の使用期限情報を記録するようにしているので、アクティブタグで電池の使用期限を管理することができ、その結果、リーダライタ装置によりアクティブタグの電池の使用期限を把握することができ、管理データベースなどに使用期限を別途登録するといった作業が不要となり、適切に電池の使用期限を管理することができる。
【００１５】
請求項２に係る発明によれば、電池の使用期限情報を電池の使用期限年月情報および電池の残量情報としているので、電池の使用期限年月および残量情報に基づいて電池の使用期限を把握することができる。
【００１６】
請求項３に係る発明によれば、電池を充電により繰り返して使用可能な充電池とし、使用期限情報を充電池の最大充電回数および充電池の充電回数としているので、充電池の最大充電回数および充電回数に基づいて充電池の使用期限を把握することができる。
【００１７】
請求項４に係る発明によれば、アクティブタグのメモリに、電池の使用期限情報を記録するようにしているので、アクティブタグで電池の使用期限を管理することができ、その結果、リーダライタ装置によりアクティブタグの電池の使用期限を把握することができ、管理データベースなどに使用期限を別途登録するといった作業が不要となり、適切に電池の使用期限を管理することができる。また、リーダライタ装置により、電池の使用期限が過ぎていると判断した場合に警告部により警告を行うようにしているので、電池の使用期限が過ぎていることを知らせることができる。
【図面の簡単な説明】
【００１８】
【図１】本発明に係るアクティブタグシステムの第１実施形態を示す概略構成図である。
【図２】本発明に係るアクティブタグシステムの第１実施形態における通信データ構造を示す説明図である。
【図３】本発明に係るアクティブタグシステムの第１実施形態の動作を示すフローチャートである。
【図４】本発明に係るアクティブタグシステムの第２実施形態を示す概略構成図である。
【図５】本発明に係るアクティブタグシステムの第２実施形態における通信データ構造を示す説明図である。
【図６】本発明に係るアクティブタグシステムの第２実施形態の動作を示すフローチャートである。
【発明を実施するための形態】
【００１９】
以下、本発明の実施形態について図面を参照して説明する。
【００２０】
図１は、本発明に係るアクティブタグシステムの第１実施形態を示す概略構成図であり、本実施形態においては、アクティブタグシステムは、アクティブタグ１と、リーダライタ装置２とを備えている。アクティブタグ１には、リーダライタ装置２から送信されるコマンドを判別して各種制御を行う制御部３が設けられており、アクティブタグ１には、リーダライタ装置２から送信されるコマンドに基づいて所定の情報を書き込みまたは読み出しするためのメモリ４が設けられている。さらに、アクティブタグ１には、制御部３により制御されアンテナ５を介してリーダライタ装置２との通信を行うための通信部６が設けられている。さらに、アクティブタグ１は、制御部３、通信部６、メモリ４などの各部材に電力を供給するための電池７を備えている。
【００２１】
本実施形態においては、メモリ４には、アクティブタグ１を製造した後、所定のIＤ情報を記録する際に、電池７の使用期限を記録させるように構成されている。電池７の使用期限は、電池７の製造時にあらかじめ定められるものであり、例えば、製造から５年というように設定されるものである。また、メモリ４には、電池７の使用状態に応じて電池７の残量情報が記録されるように構成されている。電池７の残量情報は、制御部３の電池監視機能により検出し、メモリ４の所定の作業領域に書き込まれる。電池７の残量情報としては、例えば、残量９０％程度などのように残量を示すものである。
【００２２】
図２はアクティブタグ１の通信データ構造を示したものであり、本実施形態においては、通信データは、ヘッダ、アクティブタグ１のＩＤ情報、電池７の使用期限、電池７の残量情報、チェックコードから構成されている。そして、リーダライタ装置２との通信を行う場合には、制御部３は、メモリ４に記録された各種情報を所定の作業領域に書き込むことにより、図２に示すような、通信データを生成するように構成されている。
【００２３】
ここで、ヘッダおよびチェックコードには、リーダライタ装置２との通信に必要な情報が書き込まれるものであり、アクティブタグ１のＩＤ情報には、アクティブタグ１の固有のＩＤ情報が書き込まれるものである。また、電池７の使用期限には、メモリ４の書き込まれた電池７の使用期限に基づいて、例えば、「２０１５０３」などのように書き込まれるものである。これは、電池７の使用期限が２０１５年３月までということを意味するものである。また、電池７の残量情報には、例えば、「３０」などのように示されるものである。これは電池７の残量が３０％程度であることを意味するものであり、例えば、「００」のように示した場合は、電池７の残量が０であり、電池７の交換が必要な場合を示している。
【００２４】
また、リーダライタ装置２には、アクティブタグ１と通信してアクティブタグ１のメモリ４に記録されている情報の読み取りや書き込みを行って情報の管理を行うコントローラ８が設けられており、リーダライタ装置２には、アクティブタグ１との間で通信を行うためのアンテナ９が設けられている。また、リーダライタ装置２のコントローラ８は、本実施形態においては、アクティブタグ１と通信することにより得られた電池７の使用期限に基づいて、電池７の使用期限が過ぎているか否かを判断するとともに、アクティブタグ１から得られた電池７の残量情報に基づいて、電池７の残量が「交換」となっているか否かを判断するように構成されている。そして、リーダライタ装置２には、コントローラ８により電池７の使用期限が過ぎていると判断した場合、および電池７の残量が「交換」であると判断した場合に、電池７の警告表示を行う警告部１０が設けられている。この警告部１０は、例えば、表示部に表示することにより警告するようにしてもよいし、音声により警告するようにしてもよい。
【００２５】
次に、本実施形態の作用について、図３に示すフローチャートを参照して説明する。
【００２６】
本実施形態においては、アクティブタグ１をリーダライタ装置２に近接させると、リーダライタ装置２のコントローラ８からアンテナ９を介して必要なコマンドがアクティブタグ１に送信され、アクティブタグ１の制御部３は、リーダライタ装置２からのコマンドに応じて、メモリ４に記録された各種情報に基づいて通信データを生成し、通信部６およびアンテナ５を介してリーダライタ装置２に送信する（ＳＴ１）。
【００２７】
リーダライタ装置２がアクティブタグ１の通信データを受信したら（ＳＴ２）、コントローラ８により通信データの電池７の使用期限および電池７の残量情報を参照する（ＳＴ３）。そして、コントローラ８により使用期限が過ぎているか否か判断し（ＳＴ４）、使用期限が過ぎていないと判断した場合は（ＳＴ４：ＮＯ）、電池７の残量情報に基づいて電池７の残量があるか否かを判断する（ＳＴ５）。そして、電池７の残量情報が「交換」となっていない場合は（ＳＴ５：ＮＯ）、ＩＤ情報の確認などの処理を行うものである（ＳＴ６）。一方、電池７の使用期限が過ぎていると判断した場合、および電池７の残量が「交換」となっていると判断した場合には、コントローラ８により、警告部１０から所定の警告を行う（ＳＴ７）。
【００２８】
以上述べたように、本実施形態においては、アクティブタグ１にＩＤ情報を書き込む際に、電池７の使用期限をメモリ４に記録し、アクティブタグ１で電池７の使用期限を管理することができるようにしているので、リーダライタ装置２によりアクティブタグ１の電池７の使用期限を把握することができ、管理データベースなどに使用期限を別途登録するといった作業が不要となり、適切に電池７の使用期限を管理することができる。また、リーダライタ装置２のコントローラ８により、電池７の使用期限が過ぎていると判断した場合に警告部１０により警告を行うようにしているので、電池７の使用期限が過ぎていることを知らせることができる。
【００２９】
次に、本発明の第２実施形態について説明する。
【００３０】
本実施形態は、図４に示すように、電池の代わりに繰り返して充電が可能な充電池１１を用いた場合の例を示している。本実施形態においては、アクティブタグ１のメモリ４には、アクティブタグ１を製造した後、所定のIＤ情報を記録する際に、充電池１１の使用期限である最大充電回数を記録させるように構成されている。最大充電回数は、充電池１１の製造時にあらかじめ定められる限界の充電回数である。さらに、本実施形態においては、メモリ４には、充電池１１に充電する毎に、何回充電されたかを表す充電回数を記録するように構成されている。
【００３１】
また、アクティブタグ１の通信データを生成する際には、本実施形態においては、図５に示すように、前記第１実施形態の電池使用期限の代わりに充電池１１の最大充電回数が記録されるように構成されており、さらに、充電回数が記録されるようになっている。
【００３２】
また、リーダライタ装置２のコントローラ８は、本実施形態においては、アクティブタグ１と通信することにより得られた充電池１１の最大充電回数と充電池１１の充電回数とを比較することにより、充電池１１の充電回数が最大充電回数を超えているか否かを判断するように構成されている。そして、リーダライタ装置２の警告部１０は、コントローラ８により充電池１１の充電回数が最大充電回数を超えていると判断した場合に、充電池１１の警告表示を行うように構成されている。
【００３３】
その他の部分は、前記第１実施形態と同様であるためその説明を省略する。
【００３４】
次に、本実施形態の作用について、図６に示すフローチャートを参照して説明する。
【００３５】
本実施形態においては、アクティブタグ１をリーダライタ装置２に近接させると、リーダライタ装置２のコントローラ８からアンテナ９を介して必要なコマンドがアクティブタグ１に送信され、アクティブタグ１の制御部３は、リーダライタ装置２からのコマンドに応じて、メモリ４に記録された各種情報に基づいて通信データを生成し、通信部６およびアンテナ５を介してリーダライタ装置２に送信する（ＳＴ１０）。
【００３６】
リーダライタ装置２がアクティブタグ１の通信データを受信したら（ＳＴ１１）、コントローラ８により通信データの充電池１１の充電回数と最大充電回数とを比較し（ＳＴ１２）、充電回数が最大充電回数を超えているか否か判断する（ＳＴ１３）。そして、最大充電回数を超えていないと判断した場合は（ＳＴ１３：ＮＯ）、ＩＤ情報の確認などの処理を行うものである（ＳＴ１４）。一方、充電池１１の充電回数が最大充電回数を超えていると判断した場合には、コントローラ８により、警告部１０から所定の警告を行う（ＳＴ１５）。
【００３７】
以上述べたように、本実施形態においても前記第１実施形態と同様に、アクティブタグ１にＩＤ情報を書き込む際に、充電池１１の最大充電回数をメモリ４に記録し、アクティブタグ１で充電池１１の使用期限を管理することができるようにしているので、リーダライタ装置２によりアクティブタグ１の充電池１１の使用期限を把握することができ、管理データベースなどに使用期限を別途登録するといった作業が不要となり、適切に充電池１１の使用期限を管理することができる。また、リーダライタ装置２のコントローラ８により、充電池１１の充電回数が最大充電回数を超えていると判断した場合に警告部１０により警告を行うようにしているので、充電池１１の使用期限が過ぎていることを知らせることができる。
【００３８】
なお、本発明は上記実施形態に限定されるものではなく、本発明の趣旨に基づいて種々の変形が可能である。
【符号の説明】
【００３９】
１  アクティブタグ
２  リーダライタ装置
３  制御部
４  メモリ
５，９  アンテナ
６  通信部
７  電池
８  コントローラ
１０  警告部
１１  充電池
【図１】
2012018552.tif 000003
【図２】
2012018552.tif 000004
【図３】
2012018552.tif 000005
【図４】
2012018552.tif 000006
【図５】
2012018552.tif 000007
【図６】
2012018552.tif 000008